(57)【特許請求の範囲】
【請求項１】
液体を噴霧することにより固化が始まる特殊アスファルト合材を撒き拡げるスクリューと、該撒き拡げられた特殊アスファルト合材を敷き均すスクリードとを備え、該スクリューとスクリードとの間に前記特殊アスファルト合材に前記液体を噴霧する領域を設けるとともに該液体が噴霧される領域を通過する特殊アスファルト合材量を合材仕切り手段で所定量に規制しつつ当該特殊アスファルト合材を舗装施工する特殊アスファルト合材用アスファルトフィニシャの合材仕切り板であって、
前記合材仕切り手段は、前部合材仕切り板と、該前部合材仕切り板から所要間隔をおいて後方に配設された後部合材仕切り板とで構成し、前記液体が噴霧される領域は前記前部合材仕切り板と前記後部合材仕切り板との間に設定したことを特徴とする特殊アスファルト合材用アスファルトフィニシャの合材仕切り板。
【請求項２】
上記前部合材仕切り板は、合材仕切り板本体の下部に該仕切り板本体と協働して前記特殊アスファルト合材の通過量を規制するエッジを上下動可能に取付け、該エッジの上下位置を舗装施工中に操作可能な位置に設けた操作部の操作により調整するようにしたことを特徴とする請求項１記載の特殊アスファルト合材用アスファルトフィニシャの合材仕切り板。
【請求項３】
上記操作部は、回転ハンドルであり、該回転ハンドルの回動操作量をリンク機構により上下の操作量に変換して上記エッジの上下位置を調整するようにしたことを特徴とする請求項２記載の特殊アスファルト合材用アスファルトフィニシャの合材仕切り板。
【請求項４】
上記後部合材仕切り板は、上記エッジに連結部材を介して連結し、該後部合材仕切り板の上下位置を上記操作部の操作により前記エッジの上下位置調整に連動して調整するようにしたことを特徴とする請求項２又は３記載の特殊アスファルト合材用アスファルトフィニシャの合材仕切り板。
【発明の詳細な説明】
【技術分野】
【０００１】
本発明は、特殊アスファルト合材用アスファルトフィニッシャの合材仕切り板に関するものであり、特に、特殊液体又は水等（以下、単に「液体」という。）が噴霧される領域を前部合材仕切り板と後部合材仕切り板との間に設定することにより、施工条件の急変等が生じた場合にも前記液体が噴霧される領域を通過する特殊アスファルト合材量を所定量に規制して所定の舗装性能を達成することが可能な特殊アスファルト合材用アスファルトフィニッシャの合材仕切り板に関するものである。
【背景技術】
【０００２】
近時の温暖化ガス削減方針や建設工事での工期短縮及び費用削減等の要求より、特殊なアスファルト合材を用いた道路舗装が増えている。その一方法として、液体を噴霧することで固化が始まる特殊アスファルト合材を用いた道路舗装がある。液体を噴霧することで固化が始まる特殊アスファルト合材の場合、その液体の噴霧タイミングや噴霧個所、噴霧量が舗装品質に大きく影響する。このため、液体が噴霧される領域に所定量の特殊アスファルト合材を通過させる必要がある。また、その後のその特殊アスファルト合材により完成した舗装体に含まれる液体量を一定とするために、液体が噴霧される領域を通過する特殊アスファルト合材量を調整する合材仕切り板を含む機構を備えている必要があり、その調整を施工中でも簡単に行えるようにすることが求められる。
【０００３】
このような液体が噴霧される領域を通過する特殊アスファルト合材量を調整する合材仕切り板を備えた特殊アスファルト合材用アスファルトフィニッシャとしては図２に示すようなものが考えられる。同図において、特殊アスファルト合材用アスファルトフィニッシャは、図示しない本体トラクタ部の前部に特殊アスファルト合材を貯蔵する図示しないホッパが備えられ、該ホッパに貯蔵された特殊アスファルト合材が、図示しないコンベヤで本体トラクタ部の後部に搬送され、この搬送された特殊アスファルト合材Ａがスクリュー１で本体トラクタ部の幅方向に撒き拡げられる。該スクリュー１の後方には、撒き拡げられた特殊アスファルト合材Ａを敷き均すためのスクリード２が図示しないスクリードアームの後端部に支持されて設けられている。
【０００４】
前端側が前記本体トラクタ部に連結された前記スクリードアームは、通常アスファルト合材用アスファルトフィニッシャにおけるものよりも所要量長く形成されてスクリード２が所要量だけ後側に移設され、スクリュー１とスクリード２の間に所要間隔が設けられている。そして、この所要間隔の部位に液体Ｂを噴霧する液体噴霧装置３が設けられ、また該液体Ｂが噴霧される領域を通過する特殊アスファルト合材Ａを所定量に規制する合材仕切り板４が設けられている。
【０００５】
該合材仕切り板４は、上端がスクリード２側にボルト締結等により固定された合材仕切り板本体４ａと、該合材仕切り板本体４ａの下部に上下動可能に取付けられたエッジ４ｂとで構成されている。該エッジ４ｂは合材仕切り板本体４ａと協働して特殊アスファルト合材Ａの通過量を規制する。
【０００６】
前記エッジ４ｂには、下シャフト６ａの下端が連結され、該下シャフト６ａの上端は、支軸７に支持されたリンク機構８を介して上シャフト６ｂの下端に連結されている。該上シャフト６ｂの上端は舗装施工中に操作可能な位置であるスクリード２の上方に突出され、その突出部に操作部としての回転ハンドル９が取付けられている。前記上シャフト６ｂの上部側は、該上シャフト６ｂを回動自在に支持する支持部１０を介してスクリード２の上部に支持されている。前記回転ハンドル９の回動操作量がリンク機構８により上下の操作量に変換されて前記エッジ４ｂの上下位置が調整される。
【０００７】
そして、合材仕切り板本体４ａの下部に上下動可能に取付けたエッジ４ｂの上下位置を、舗装施工中においても回転ハンドル９の回動操作によりリンク機構８を介して調整し、合材仕切り板４全体の高さを所要高さに調整する。この調整作用により、液体Ｂが噴霧される領域を通過する特殊アスファルト合材Ａ量を、舗装施工中に施工条件が変化しても容易に所定量に規制して所定の舗装性能を達成する。
【０００８】
また、上記の合材仕切り板に関連する従来技術として、例えば、次のような舗装機械におけるアスファルト合材量の調整装置が知られている。この従来技術は、モールドボードを備えた舗装機械において、該モールドボードの上端部に設けたパイプ軸の下部にシャフトを回転自在に配設し、該シャフトに軸方向の動きを上下方向に変換する操作方向変換手段を設けてモールドボードの上端部を連結するとともに、前記シャフトの一端部を前記モールドボードの外側部に突出して操作部を形成してある。このモールドボード近傍の操作部にてスクリード前に溜まるアスファルト合材量を観察しながら該シャフトを回転させることにより、モールドボードが上下いずれかに動いて前記モールドボードの下端部と路面との隙間を変更することができる。このように、アスファルト合材量を観察しながらモールドボードの高さが調整可能であるため、スクリード前に溜まるアスファルト合材量が合材の種類や温度等により変化した場合であっても、現場の状況を適切に捉えて該モールドボードの高さを変更することにより、アスファルト合材量を一定量に保持することができる（例えば、特許文献１参照）。
【先行技術文献】
【特許文献】
【０００９】
【特許文献１】特許第３７１３２４７号公報
【発明の概要】
【発明が解決しようとする課題】
【００１０】
図２に示した特殊アスファルト合材用アスファルトフィニッシャにおいては、合材仕切り板本体４ａの下部に上下動可能に取付けたエッジ４ｂの上下位置を、舗装施工中においても調整可能として、合材仕切り板４全体の高さを所要高さに調整することができる。この調整作用により液体Ｂが噴霧される領域を通過する特殊アスファルト合材Ａの量を、舗装施工中に施工条件が変化しても容易に所定量に規制することができるようにしている。しかしながら、急激な施工条件の変化等があったときは、特殊アスファルト合材が消費されずに、図３中に符号Ａａで示すように、該特殊アスファルト合材がスクリードの前に滞留して増加し、液体Ｂが噴霧される領域を通過する特殊アスファルト合材Ａ量を所定量に規制することができない場合がある。
【００１１】
また、特許文献１に記載の従来技術においては、スクリード前に溜まるアスファルト合材量が、急激な施工条件の変化ではなく合材の種類や温度等で変化した場合に、単一枚のモールドボード全体の高さを変更することで、アスファルト合材量を一定量に保持するようにしている。
【００１２】
そこで、液体が噴霧される領域を前部合材仕切り板と後部合材仕切り板との間に設定することにより、施工条件の急変等が生じて特殊アスファルト合材がスクリード前に滞留し増加する現象が生じた場合にも、その影響が液体が噴霧される領域を通過する特殊アスファルト合材に及ぶのを後部合材仕切り板で抑止し、前記液体が噴霧される領域を通過する特殊アスファルト合材量を常に前部合材仕切り板を通過することで規制された所定量に保持して所定の舗装性能を達成するために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、液体を噴霧することにより固化が始まる特殊アスファルト合材を撒き拡げるスクリューと、該撒き拡げられた特殊アスファルト合材を敷き均すスクリードとを備え、該スクリューとスクリードとの間に前記特殊アスファルト合材に前記液体を噴霧する領域を設けるとともに該液体が噴霧される領域を通過する特殊アスファルト合材量を合材仕切り手段で所定量に規制しつつ当該特殊アスファルト合材を舗装施工する特殊アスファルト合材用アスファルトフィニッシャの合材仕切り板であって、前記合材仕切り手段は、前部合材仕切り板と、該前部合材仕切り板から所要間隔をおいて後方に配設された後部合材仕切り板とで構成し、前記液体が噴霧される領域は前記前部合材仕切り板と前記後部合材仕切り板との間に設定した特殊アスファルト合材用アスファルトフィニッシャの合材仕切り板を提供する。
【００１４】
この構成によれば、液体が噴霧される領域を通過する特殊アスファルト合材量は、前部合材仕切り板を通過することで所定量に規制される。この規制状態において、急激な施工条件の変化で特殊アスファルト合材がスクリード前に滞留し増加した場合にも、その影響が液体が噴霧される領域を通過する特殊アスファルト合材に及ぶのが後部合材仕切り板で抑止される。この結果、液体が噴霧される領域を通過する特殊アスファルト合材量は、常に前部合材仕切り板を通過することで規制された所定量に保持される。
【００１５】
請求項２記載の発明は、請求項１記載の発明において、上記前部合材仕切り板は、合材仕切り板本体の下部に該合材仕切り板本体と協働して前記特殊アスファルト合材の通過量を規制するエッジを上下動可能に取付け、該エッジの上下位置を舗装施工中に操作可能な位置に設けた操作部の操作により調整するようにした特殊アスファルト合材用アスファルトフィニッシャの合材仕切り板を提供する。
【００１６】
この構成によれば、前部合材仕切り板における合材仕切り板本体の下部に上下動可能に取付けたエッジの上下位置が操作部の操作により調整されて、舗装施工中においても前部合材仕切り板全体の高さが所要高さに調整される。したがって、液体が噴霧される領域を通過する特殊アスファルト合材量は、舗装施工中に、施工条件に急激な変化以外の変化が生じても前部合材仕切り板全体の高さの調整により所定量に規制される。
【００１７】
請求項３記載の発明は、請求項２記載の発明において、上記操作部は、回転ハンドルであり、該回転ハンドルの回動操作量をリンク機構により上下の操作量に変換して上記エッジの上下位置を調整するようにした特殊アスファルト合材用アスファルトフィニッシャの合材仕切り板を提供する。
【００１８】
この構成によれば、操作部は、舗装施工中であっても操作性の良好な回転ハンドルであり、この回転ハンドルの回動操作量がリンク機構により上下の操作量に変換されて、エッジが確実、且つ容易に所要の上下位置に調整される。
【００１９】
請求項４記載の発明は、上記後部合材仕切り板は、上記エッジに連結部材を介して連結し、該後部合材仕切り板の上下位置を上記操作部の操作により前記エッジの上下位置調整に連動して調整するようにした請求項２又は３記載の特殊アスファルト合材用アスファルトフィニシャの合材仕切り板を提供する。
【００２０】
この構成によれば、舗装施工中に、施工条件の急激な変化以外の変化等が生じて前部合材仕切り板全体の高さが所定高さに調整され、液体が噴霧される領域を通過する特殊アスファルト合材量が所定量に規制されたとき、この前部合材仕切り板全体の高さの調整に連動して後部合材仕切り板の高さが調整される。したがって、液体が噴霧される領域を通過する特殊アスファルト合材量は、後部合材仕切り板の存在の影響を受けることなく、前部合材仕切り板を通過することで規制された所定量状態が保持される。
【発明の効果】
【００２１】
請求項１記載の発明は、液体が噴霧される領域を前部合材仕切り板と後部合材仕切り板との間に設定することで、施工条件の急変等が生じて特殊アスファルト合材がスクリード前に滞留し増加する現象が生じた場合にも、その影響が液体が噴霧される領域を通過する特殊アスファルト合材に及ぶのを後部合材仕切り板で抑止し、前記液体が噴霧される領域を通過する特殊アスファルト合材量が常に前部合材仕切り板を通過することで規制された所定量に保持されて所定の舗装性能を達成することができるいう利点がある。
【００２２】
請求項２記載の発明は、請求項１記載の発明の効果に加えてさらに、合材仕切り板本体の下端部に上下動可能に取付けたエッジの上下位置を調整して舗装施工中においても合材仕切り板全体の高さを所要高さに調整することができて、液体が噴霧される領域を通過する特殊アスファルト合材量を、舗装施工中に、施工条件に急激な変化以外の変化が生じても容易に所定量に規制して所定の舗装性能を達成することができるという利点がある。
【００２３】
請求項３記載の発明は、請求項２記載の発明の効果に加えてさらに、舗装施工中であっても操作性の良好な回転ハンドルの操作によりエッジの上下位置を調整して合材仕切り板全体の高さを確実、且つ容易に所要高さに調整することができるという利点がある。
【００２４】
請求項４記載の発明は、請求項２又は３記載の発明の効果に加えてさらに、前部合材仕切り板全体の高さの調整に連動して後部合材仕切り板の高さが調整されるようにしたことで、液体が噴霧される領域を通過する特殊アスファルト合材量を、後部合材仕切り板の存在の影響を受けることなく、前部合材仕切り板を通過することで規制された所定量状態に保持することができるという利点がある。
【図面の簡単な説明】
【００２５】
【図１】本発明の実施例に係る特殊アスファルト合材用アスファルトフィニッシャの合材仕切り板を示す側面図。
【図２】舗装施工中でも液体が噴霧される領域を通過する特殊アスファルト合材量を調整することが可能である特殊アスファルト合材用アスファルトフィニッシャの合材仕切り板の一構成例を示す側面図。
【図３】図２の特殊アスファルト合材用アスファルトフィニッシャの合材仕切り板になお生じる問題点を説明するための側面図。
【発明を実施するための形態】
【００２６】
本発明は、液体が噴霧される領域を前部合材仕切り板と後部合材仕切り板との間に設定することにより、施工条件の急変等が生じて特殊アスファルト合材がスクリード前に滞留し増加する現象が生じた場合にも、その影響が液体が噴霧される領域を通過する特殊アスファルト合材に及ぶのを後部合材仕切り板で抑止し、前記液体が噴霧される領域を通過する特殊アスファルト合材量を常に前部合材仕切り板を通過することで規制された所定量に保持して所定の舗装性能を達成するという目的を達成するために、液体を噴霧することにより固化が始まる特殊アスファルト合材を撒き拡げるスクリューと、該撒き拡げられた特殊アスファルト合材を敷き均すスクリードとを備え、該スクリューとスクリードとの間に前記特殊アスファルト合材に前記液体を噴霧する領域を設けるとともに該液体が噴霧される領域を通過する特殊アスファルト合材量を合材仕切り手段で所定量に規制しつつ当該特殊アスファルト合材を舗装施工する特殊アスファルト合材用アスファルトフィニッシャの合材仕切り板であって、前記合材仕切り手段は、前部合材仕切り板と、該前部合材仕切り板から所要間隔をおいて後方に配設された後部合材仕切り板とで構成し、前記液体が噴霧される領域は前記前部合材仕切り板と前記後部合材仕切り板との間に設定したことにより実現した。
【実施例１】
【００２７】
以下、本発明の好適な実施例を図１を参照して説明する。なお、図１において前記図２における構成要素と同一ないし均等のものは、前記と同一符合を以って示し、重複した説明を省略する。まず、本実施例に係る特殊アスファルト合材用アスファルトフィニッシャの合材仕切り板の構成を説明する。
【００２８】
図１において、本実施例では、合材仕切り板４が前部合材仕切り板４として構成され、該前部合材仕切り板４から所要間隔をおいた後方に後部合材仕切り板５が配設されている。液体Ｂを噴霧する液体噴霧装置３は前部合材仕切り板４と後部合材仕切り板５との間に位置して設けられ、該前部合材仕切り板４と後部合材仕切り板５との間に液体Ｂが噴霧される領域が設定されている。
【００２９】
前記後部合材仕切り板５は連結部材１１を介して前記エッジ４ｂに連結され、回転ハンドルの回動操作により、該後部合材仕切り板５は、その上下位置が前記エッジ４ｂの上下位置調整に連動して調整されるように構成されている。前記連結部材１１は、液体Ｂが噴霧される領域を通過する特殊アスファルト合材に対する液体噴霧装置３からの液体Ｂの噴霧に支障のない寸法形状で、且つ支障を与えない位置で後部合材仕切り板５をエッジ４ｂに連結している。
【００３０】
次に、上述のように構成された特殊アスファルト合材用アスファルトフィニッシャの合材仕切り板の作用を説明する。前部合材仕切り板４における合材仕切り板本体４ａの下部に上下動可能に取付けたエッジ４ｂの上下位置が回転ハンドル９の回動操作により調整されて、舗装施工中においても前部合材仕切り板４全体の高さが所要高さに調整される。
【００３１】
したがって、液体Ｂが噴霧される領域を通過する特殊アスファルト合材量は、舗装施工中に、施工条件に急激な変化以外の変化が生じても前部合材仕切り板４全体の高さの調整により所定量に規制される。
【００３２】
また、前部合材仕切り板４全体の高さの調整により液体Ｂが噴霧される領域を通過する特殊アスファルト合材量が所定量に規制されたとき、この前部合材仕切り板４全体の高さの調整に連動して後部合材仕切り板５の高さが調整される。この結果、前部合材仕切り板４と後部合材仕切り板５との間に設定された液体Ｂが噴霧される領域を通過する特殊アスファルト合材量は、後部合材仕切り板５の存在の影響を受けることなく、前部合材仕切り板４を通過することで規制された所定量状態が保持される。
【００３３】
このように、液体Ｂが噴霧される領域を通過する特殊アスファルト合材量が所定量に規制されている状態において、急激な施工条件の変化が生じて特殊アスファルト合材Ａがスクリード前に滞留し増加した場合には、この滞留し増加した特殊アスファルト合材Ａの影響が、液体Ｂが噴霧される領域を通過する特殊アスファルト合材Ａに及ぶのが、図１中に示されているように後部合材仕切り板５で抑止される。この結果、液体Ｂが噴霧される領域を通過する特殊アスファルト合材量は、常に前部合材仕切り板４を通過することで規制された所定量に保持される。
【００３４】
上述したように、本実施例に係る特殊アスファルト合材用アスファルトフィニッシャの合材仕切り板においては、液体Ｂが噴霧される領域を前部合材仕切り板４と後部合材仕切り板５との間に設定したことで、施工条件の急変等が生じて特殊アスファルト合材Ａがスクリード２前に滞留し増加する現象が生じた場合にも、その影響が液体Ｂが噴霧される領域を通過する特殊アスファルト合材Ａに及ぶのを後部合材仕切り板５で抑止し、前記液体Ｂが噴霧される領域を通過する特殊アスファルト合材量が常に前部合材仕切り板４を通過することで規制された所定量に保持されて所定の舗装性能を達成することができる。
【００３５】
合材仕切り板本体４ａの下端部に上下動可能に取付けたエッジ４ｂの上下位置を調整して舗装施工中においても合材仕切り板４全体の高さを所要高さに調整することができて、液体Ｂが噴霧される領域を通過する特殊アスファルト合材量を、舗装施工中に、施工条件に急激な変化以外の変化が生じても容易に所定量に規制することができる。
【００３６】
前部合材仕切り板４全体の高さの調整に連動して後部合材仕切り板５の高さが調整されるようにしたことで、液体Ｂが噴霧される領域を通過する特殊アスファルト合材量を、後部合材仕切り板５の存在の影響を受けることなく、前部合材仕切り板４を通過することで規制された所定量状態に保持することができる。
【００３７】
なお、本発明は、本発明の精神を逸脱しない限り種々の改変をなすことができ、そして、本発明が該改変されたものにも及ぶことは当然である。
【産業上の利用可能性】
【００３８】
特殊な液体が噴霧される領域を前部合材仕切り板と後部合材仕切り板との間に設定することにより、施工条件の急変等が生じて特殊なアスファルト合材がスクリード前に滞留し増加する現象が生じた場合にも、前記特殊な液体が噴霧される領域を通過する特殊なアスファルト合材量を常に前部合材仕切り板を通過することで規制された所定量に保持して所定の舗装性能を達成することが不可欠な特殊合材施工用のアスファルトフィニッシャ以外の他の合材施工用のアスファルトフィニッシャにも広く適用することが可能である。
【符号の説明】
【００３９】
１    スクリュー
２    スクリード
３    液体噴霧装置
４    合材仕切り板（前部合材仕切り板）
４ａ  合材仕切り板本体
４ｂ  エッジ
５    後部合材仕切り板
６ａ  下シャフト
６ｂ  上シャフト
７    支軸
８    リンク機構
９    回転ハンドル
１０    支持部
１１    連結部材
【図１】
0005336464.tif 000002
【図２】
0005336464.tif 000003
【図３】
0005336464.tif 000004